(57)【要約】      （修正有）【課題】厚みのある靴等にも取り付け可能で、装飾部の位置調整や複数個の装飾部の取り付けが可能なクリップアクセサリーを提供する。【解決手段】短板２と長板３とで構成し、短板は、片方の端が縦方向に３片に割けて捲曲形状の両端片４と、反り形状の中央片５をなし、長板は、片方の端付近から４０度〜８０度の角度で折り曲げ、且つ折り曲げたその先が、切り欠きにより十字形状の切り片をなし、短板の捲曲形状の両端片と反り形状の中央片との間で、長板の十字形状の切り片を構成する横両片が挟まれ、且つ長板の十字形状の切り片を構成する縦片が中央片に弾性を与えるように圧接する。このとき、長板の全長は、横板の全長の１．５〜２．５倍の長さにし、長板には、複数の穴９を設ける。【選択図】図１
0003166887.tif 000002
【実用新案登録請求の範囲】
【請求項１】
クリップに装飾部が取り付けられた、鞄や靴に挟着出来るクリップアクセサリーであって、クリップの構造が、短板と長板とからなり、
前記短板は、片方の端が縦方向に３片に割れて捲曲形状の両端片と、反り形状の中央片をなし、前記長板は、片方の端付近から４０度〜８０度の角度で折れ曲がっており、且つ折れ曲がったその先が、切り欠きにより十字形状の切り片をなし、
前記短板の捲曲形状の両端片と反り形状の中央片との間で、前記長板の十字形状の切り片を構成する横両片が挟まれ、且つ前記長板の十字形状の切り片を構成する縦片が、前記短板の中央片に弾性を与えるように圧接されている事を特徴とするクリップアクセサリー。
【請求項２】
上記長板の全長は、上記横板の全長の１．５〜２．５倍の長さであることを特徴とするクリップアクセサリー。
【請求項３】
上記長板には、上記装飾部が任意の位置で取り付けられるよう、複数の穴が設けられていることを特徴とするクリップアクセサリー。
【考案の詳細な説明】
【技術分野】
【０００１】
本考案は、クリップに装飾部が取り付けられた、鞄や靴に挟着出来るクリップアクセサリーに関するものである。
【背景技術】
【０００２】
従来、靴などに付けるアクセサリー留め具部として、２枚の板で挟んで固定するクリップタイプのものが考案されている。
【０００３】
そして、装飾部をネジやリベットで留めたり、２枚の板の全長がほぼ同じであったりしたものになっている。
【特許文献１】実開昭５７−２７９０６号
【特許文献２】実開昭５９−１５６５０９号
【考案の開示】
【考案が解決しようとする課題】
【０００４】
しかしながら、上記のタイプの考案では、靴等に使用する皮や生地の厚さに対して、挟み込みが出来なくなり、抜けやすくなるケースも多く、また、１つのクリップに多く装飾部を付ける為の工夫や、装飾部の位置を調整されるための手段にも欠け、多くの改良の余地があった。
【０００５】
本考案は、上記問題を解決するため成されたもので、厚みのある靴等にも取り付け可能で、装飾部の位置調整や複数個の装飾部の取り付けが可能なクリップアクセサリーを提供する。
【課題を解決するための手段】
【０００６】
請求項１に記載の考案は、クリップに装飾部が取り付けられた、鞄や靴に挟着出来るクリップアクセサリーであって、クリップの構造が、短板と長板とからなり、前記短板は、片方の端が縦方向に３片に割れて捲曲形状の両端片と、反り形状の中央片をなし、前記長板は、片方の端付近から４０度〜８０度の角度で折れ曲がっており、且つ折れ曲がったその先が、切り欠きにより十字形状の切り片をなし、前記短板の捲曲形状の両端片と反り形状の中央片との間で、前記長板の十字形状の切り片を構成する横両片が挟まれ、且つ前記長板の十字形状の切り片を構成する縦片が、前記横板の中央片に弾性を与えるように圧接されている事を特徴とする。
【０００７】
請求項２に記載の考案は、上記長板の全長は、上記横板の全長の１．５〜２．５倍の長さであることを特徴とする。
【０００８】
請求項３に記載の考案は、上記長板には、上記装飾部が任意の位置で取り付けられるよう、複数の穴が設けられていることを特徴とする。
【考案の効果】
【０００９】
請求項１に記載の考案によれば、厚みのある靴等にも取り付け可能となる。
【００１０】
請求項２に記載の考案によれば、１つのクリップアクセサリーで複数個の装飾部が取り付け可能となる。
【００１１】
請求項３に記載の考案によれば、装飾部の位置調整が可能となる。
【考案を実施するための最良の形態】
【００１２】
クリップに装飾部が取り付けられた、鞄や靴に挟着出来るクリップアクセサリーであって、クリップの構造が、短板と長板とからなり、短板は、片方の端が縦方向に３片に割れて捲曲形状の両端片と、反り形状の中央片をなし、長板は、片方の端付近から４０度〜８０度の角度で折れ曲がっており、且つ折れ曲がったその先が、切り欠きにより十字形状の切り片をなし、短板の捲曲形状の両端片と反り形状の中央片との間で、長板の十字形状の切り片を構成する横両片が挟まれ、且つ長板の十字形状の切り片を構成する縦片が中央片に弾性を与えるように圧接する。そして、長板の全長は、上記横板の全長の１．５〜２．５倍の長さにする。また、長板には、装飾部が任意の位置で、紐で取り付けられるよう、複数の穴を設ける。
【実施例】
【００１３】
以下、図面を参照して本考案にクリップアクセサリーを説明する。
図１は、本考案のクリップアクセサリーを構成する短板と長板を圧接した斜面図である。
図２は、本考案のクリップアクセサリーを構成する短板の斜面図である。
図３は、本考案のクリップアクセサリーを構成する長板の斜面図である。
図４は、本考案のクリップアクセサリーを構成する長板の側面図である。
図５は、本考案のクリップアクセサリーを構成する従来の長板の側面図である。
図６は、本考案のクリップアクセサリーを構成する短板の側面図である。
図７は、本考案のクリップアクセサリー完成図である。
図８は、本考案のクリップアクセサリーの使用図である。
【００１４】
まず、図２のように短板２は、片方の端が縦方向に３片に割れて捲曲形状の両端片４と、反り形状の中央片５をなし、側面から短板２を見ると、図６のように、捲曲形状の両端片４と反り形状の中央片５とで隙間ができるよう成形する。
【００１５】
次に、図３のように長板３は、片方の端付近からが略４５度の角度で折れ曲がっており、且つ折れ曲がったその先が、切り欠きにより、１つの縦片７と、２つの横片８とで十字形状の切り片６をなすよう成形する。
【００１６】
このとき、側面から長板３を見ると、図４のようになり、図５のような従来の角度より、高くすることで、分厚いものでも挟むことが可能となる。好ましくは、略４５度であるが、４０度〜８０度の角度で折れ曲げ具合を変更しても良い。
【００１７】
そして、短板２の捲曲形状の両端片４と反り形状の中央片５との間に出来る隙間に、長板３の十字形状の切り片６を構成する２つの横片８が挟まれ、且つ長板の十字形状の切り片６を構成する縦片７が中央片５に弾性を与えるように圧接し、図１のクリップ部分を完成させる。
【００１８】
このとき、中央片５の反りを高くして、反り強度を強めることで、厚みのある生地等を挟めるように調節すると良い。
【００１９】
なお、長板３の全長は、上記短板２の全長の１．５〜２．５倍の長さにし、更に長板３には、装飾部が任意の位置で、紐、凸部を差し込んで留めるもの等を利用して取り付けられるよう、複数の穴９を設けておく。
【００２０】
次に、上記複数の穴９に任意形状の装飾部１０と装飾部１１を結びつけ、図７のように、本考案のクリップアクセサリー１を完成させる。使用する際は、図１のように、短板２と長板３を開き、間に物を挟んで留める。
【００２１】
完成させた、クリップアクセサリー１は、図８のようにブーツの一部に取り付けても良いし、図には示さないが、トートバッグや、帽子のつば部分に使用しても構わない。
【００２２】
このように、好ましい実施例を挙げて本考案を説明したが、本考案はその実施例に限定されるものではなく、本考案の要旨の範囲内で種々に改変できる。
【図面の簡単な説明】
【００２３】
【図１】本考案のクリップアクセサリーを構成する短板と長板を圧接した斜面図である。
【図２】本考案のクリップアクセサリーを構成する短板の斜面図である。
【図３】本考案のクリップアクセサリーを構成する長板の斜面図である。
【図４】本考案のクリップアクセサリーを構成する長板の側面図である。
【図５】本考案のクリップアクセサリーを構成する従来の長板の側面図である。
【図６】本考案のクリップアクセサリーを構成する短板の側面図である。
【図７】本考案のクリップアクセサリー完成図である。
【図８】本考案のクリップアクセサリーの使用図である。
【符号の説明】
【００２４】
１  クリップアクセサリー
２  短板
３  長板
４  捲曲形状の両端片
５  反り形状の中央片
６  十字形状の切り片
７  縦片
８  横片
９  穴
１０  装飾部
１１  装飾部
【図１】
0003166887.tif 000003
【図２】
0003166887.tif 000004
【図３】
0003166887.tif 000005
【図４】
0003166887.tif 000006
【図５】
0003166887.tif 000007
【図６】
0003166887.tif 000008
【図７】
0003166887.tif 000009
【図８】
0003166887.tif 000010
【手続補正書】
【提出日】平成22年10月8日(2010.10.8)
【手続補正１】
【補正対象書類名】実用新案登録請求の範囲
【補正対象項目名】全文
【補正方法】変更
【補正の内容】
【実用新案登録請求の範囲】
【請求項１】
クリップに装飾部が取り付けられた、鞄や靴に挟着出来るクリップアクセサリーであって、クリップの構造が、短板と長板とからなり、前記短板は、片方の端が縦方向に３片に割れて捲曲形状の両端片と、反り形状の中央片をなし、前記長板は、片方の端付近から４０度〜８０度の角度で折れ曲がっており、且つ折れ曲がったその先が、切り欠きにより十字形状の切り片をなし、前記短板の捲曲形状の両端片と反り形状の中央片との間で、前記長板の十字形状の切り片を構成する横両片が挟まれ、且つ前記長板の十字形状の切り片を構成する縦片が、前記短板の中央片に弾性を与えるように圧接されている事を特徴とするクリップアクセサリー。
【請求項２】
上記長板の全長は、上記横板の全長の１．５〜２．５倍の長さであることを特徴とする請求項１に記載のクリップアクセサリー。
【請求項３】
上記長板には、上記装飾部が任意の位置で取り付けられるよう、複数の穴が設けられていることを特徴とする請求項１又は請求項２のいずれか１項に記載のクリップアクセサリー。